(57)【要約】【課題】  表示部により本体を制御することができる情報処理装置を提供することを目的とする。【解決手段】  ノート型コンピュータ１は本体２を備え、ディスプレイユニット３は本体２と着脱可能に取り付けられる。本体２の後上面２ｂにはディスプレイユニット３と無線通信を行うための無線通信部１２が設けられている。ディスプレイユニット３は無線通信部４３を介して本体２側のＩ／Ｏコントローラ４１に指示を出し、本体２の入力部３２の操作を禁止させることができる。ディスプレイユニット３を持ち歩いて本体２とは離れた場所で使用していた場合、本体２側で第三者による予期しない不正な操作があったときに、ディスプレイユニット３から本体２に対して直接操作を禁止することができる。【選択図】  図１
2007233628.tif 000002
【特許請求の範囲】
【請求項１】
本体と、
前記本体に設けられ、データ入力を行う操作部と、
前記本体と着脱可能な表示部と、
前記表示部に設けられた入力手段と、
前記本体と前記表示部とで無線通信を行う無線通信手段と、
前記表示部に設けられ、前記無線通信手段を介して前記本体を制御する制御手段と
を備えることを特徴とする情報処理装置。
【請求項２】
前記表示部が前記本体から取り外されている時、前記制御手段は前記無線通信手段を介して、前記操作部によるデータ入力を禁止することを特徴とする請求項１記載の情報処理装置。
【請求項３】
前記本体と前記表示部との着脱を検知する着脱検知手段を備え、前記表示部が前記本体から取り外された時、前記制御手段は前記無線通信手段を介して、前記操作部によるデータ入力を禁止し、前記表示部が前記本体に取り付けられた時、前記制御手段は前記無線通信手段を介して、前記操作部によるデータ入力を許可することを特徴とする請求項１記載の情報処理装置。
【請求項４】
前記本体と前記表示部との着脱を検知する着脱検知手段を備え、前記本体と前記表示部とが着脱された時に、前記操作部によるデータ入力を禁止するか許可するかを設定する設定手段を備えることを特徴とする請求項１記載の情報処理装置。
【請求項５】
前記本体はサブディスプレイを備え、前記操作部によるデータ入力が禁止されているか許可されているかを前記サブディスプレイに表示することを特徴とする請求項２乃至請求項４記載の情報処理装置。
【請求項６】
前記無線通信手段を介して、前記本体と前記表示部とで音声通信を行う音声通信手段を備えることを特徴とする請求項１記載の情報処理装置。
【請求項７】
本体と、
前記本体に設けられ、データ入力を行う操作部と、
前記本体と着脱可能な表示部と、
前記表示部に設けられた入力手段と、
前記本体と前記表示部との着脱を検知する着脱検知手段と、
前記本体と前記表示部とで無線通信を行う無線通信手段と、
前記表示部に設けられ、前記無線通信手段を介して前記本体を制御する制御手段と
を有し、
前記表示部が前記本体から取り外された時、前記制御手段は前記無線通信手段を介して、前記操作部によるデータ入力を禁止し、前記表示部が前記本体に取り付けられた時、前記制御手段は前記無線通信手段を介して、前記操作部によるデータ入力を許可することを特徴とする情報処理装置。
【請求項８】
前記本体はサブディスプレイを備え、前記操作部によるデータ入力が禁止されているか許可されているかを前記サブディスプレイに表示することを特徴とする請求項７記載の情報処理装置。
【請求項９】
前記無線通信手段を介して、前記本体と前記表示部とで音声通信を行う音声通信手段を備えることを特徴とする請求項７記載の情報処理装置。
【発明の詳細な説明】
【技術分野】
【０００１】
本発明は、コンピュータに関し、特に表示部を着脱可能なノート型コンピュータに関する。
【背景技術】
【０００２】
ノート型コンピュータは一般的に、本体と表示部とから構成される。本体にはキーボード、プロセッサ、メモリ、ハードディスクドライブ、光ディスクドライブ等が設けられている。通常、表示部は本体にヒンジ部を介して回動可能に取り付けられるが、中にはキーボードを有する本体と表示部とが着脱可能なノート型コンピュータがある。特許文献１には本体と表示部とが着脱可能であり、本体と表示部とで無線通信可能なノート型コンピュータが記載されている。本体と表示部は独立して使用することが出来るように、それぞれメモリやプロセッサ等を備えている。表示部はタブレット式の入力装置を備えている。本体と表示部とは無線通信が可能であり、互いに離れた場所にある場合でもデータのやりとりを行うことが可能である。
【特許文献１】特開２００３−３４５４６３号公報
【発明の開示】
【発明が解決しようとする課題】
【０００３】
しかし、上記の方式では、表示部を持ち歩いて本体とは離れた場所で使用していた場合、第三者が勝手に本体を操作してしまうおそれがある。本体側で第三者による予期しない不正な操作があったときに、表示部側から本体に対して直接操作を禁止することができない。
【０００４】
そこで本発明の目的は表示部により本体を制御することができる情報処理装置を提供することにある。
【課題を解決するための手段】
【０００５】
上記目的を達成するために本発明に係る情報処理装置は、本体と、前記本体に設けられ、データ入力を行う操作部と、前記本体と着脱可能な表示部と、前記表示部に設けられた入力手段と、前記本体と前記表示部とで無線通信を行う無線通信手段と、前記表示部に設けられ、前記無線通信手段を介して前記本体を制御する制御手段とを備えることを特徴とする。
【発明の効果】
【０００６】
本発明によれば、表示部により本体を制御することができる情報処理装置を提供することができる。
【発明を実施するための最良の形態】
【０００７】
以下本発明に係る実施の形態を、図面を参照して説明する。
図１は本発明の実施形態に係る情報処理装置の外観斜視図である。本実施形態では情報処理装置としてノート型コンピュータを例に説明する。ノート型コンピュータ１は本体２を備え、ディスプレイユニット３は本体２と着脱可能に取り付けられる。本体２に設けられた凸部４は、ディスプレイユニット３に設けられた凹部５と嵌合するように形成されている。凸部４あるいは凹部５には図示しない係止手段が設けられている。また、凸部４と凹部５には図示しない端子部とコネクタとが設けられ、本体２とディスプレイユニット３とは電気的に接続される。本体２とディスプレイユニット３を着脱する方法は他の機構を用いても良い。本体２に装着されたディスプレイユニット３は、本体２に設けられたヒンジ部６を介して回動可能である。ディスプレイユニット３にはＬＣＤ等の表示パネル３ａが一体に設けられている。表示パネル３ａは画像表示を行うとともに、タブレット式の入力装置としても用いられる。
【０００８】
本体２内には複数の電子部品を搭載した回路基板が収容されている。本体２の前上面２ａにはタッチパッド７が取り付けられているとともに、本体２の後上面２ｂにはキーボード８が取り付けられている。本体２と取り外されたディスプレイユニット３は持ち運んで本体２と独立して使用することができる。本体２とディスプレイユニット３とは音声通信および無線通信を行うことが可能である。本体２の前上面２ａにはディスプレイユニット３と音声通信を行うためのマイク１０およびスピーカ１１が設けられている。本体２の後上面２ｂにはディスプレイユニット３と無線通信を行うための無線通信部１２が設けられている。無線通信部１２は、本体２の前上面２ａあるいは後上面２ｂに設けず、本体２に内蔵するようにしても良い。
【０００９】
本体２の後上面２ｂにはインジケータ１３、通信ボタン１４、サブディスプレイ１５が設けられている。インジケータ１３はバッテリ残量や無線通信の接続状態等を示す。通信ボタン１４は、例えば本体２とディスプレイユニット３との間で音声通信または無線通信を開始するためのボタンとして使用することができる。１台の本体２に対してディスプレイユニット３を複数台設け、本体２と通信を行うディスプレイユニット３を通信ボタン１４で選択するようにしても良い。サブディスプレイ１５はその時の作業状況やエラーメッセージ、取り外されたディスプレイユニット３の状態等を表示することができる。ディスプレイユニット３にも本体２と同様にマイク２０、スピーカ２１、無線通信部２２、インジケータ２３、通信ボタン２４等が設けられている。
【００１０】
図２は本発明の実施形態に係る情報処理装置本体の構成を示すブロック図である。ノート型コンピュータ１の本体２は、無線通信部１２、サブディスプレイ１５、着脱検知部１８、制御部３０、記憶部３１、入力部３２、サウンド回路３３等から構成される。
【００１１】
制御部３０は、プロセッサ４０、Ｉ／Ｏコントローラ４１、システムコントローラ４２等から構成される。プロセッサ４０は記憶部３１に記憶されたプログラムの実行やデータの演算・加工を行なう。入力部３２や記憶部３１からデータを受け取り、演算・加工した上で、記憶部３１やサブディスプレイ１５、本体２の表示パネル３ａに出力する。Ｉ／Ｏコントローラ４１はプロセッサ４０に入力情報を提供する。入力部３２からの情報はＩ／Ｏコントローラ４１に提供され、サブディスプレイ１５へ入力される。システムコントローラ４２は、プロセッサ４０と記憶部３１やディスプレイユニット３等の周辺装置との間のデータ転送を制御する。無線通信部１２、サブディスプレイ１５、着脱検知部１８、記憶部３１、入力部３２、サウンド回路３３は制御部３０に接続され制御される。
【００１２】
無線通信部１２は例えばディスプレイユニット３と無線通信を行うための無線通信モジュール等から構成される。無線通信には例えばＢｌｕｅｔｏｏｔｈ（登録商標）や無線ＬＡＮ等を用いることが考えられる。無線通信を介して音声通信を行う際、通信距離が比較的短くて済む場合には、例えばＢｌｕｅｔｏｏｔｈ（登録商標）の音声通信プロトコルを使用することが出来る。通信距離が比較的長い場合や建物の上下階の間等、障害物がある場合には、例えば建物内の無線ＬＡＮネットワークの環境を使用して音声通信を行うことができる。無線通信の方法としては他にＵＷＢ（Ｕｌｔｒａ  Ｗｉｄｅ  Ｂａｎｄ）を使用することも可能である。
【００１３】
サブディスプレイ１５はその時の作業状況やエラーメッセージ、取り外されたディスプレイユニット３の状態等を表示することができる。着脱検知部１８はディスプレイユニット３が本体２に装着されているか、取り外されているかを検知する。例えば、本体の凸部４とディスプレイユニット３の凹部５とにそれぞれ設けられた端子部とコネクタとの接続状態で判断しても良い。記憶部３１はハードディスクやメモリ等から構成され、記憶部３１には各種のデータや、アプリケーションを実行するためのプログラムやユーティリティソフト等が記憶されている。入力部３２は例えば本体２に設けられたタッチパッド７やキーボード８や通信ボタン１４等の入力装置から構成される。サウンド回路３３は入力されたデジタルサウンドデータをオーディオ信号に変換して音声入力部３４および音声出力部３５に出力する。音声入力部３４および音声出力部３５は、本体２に設けられたマイク１０やスピーカ１１から構成される。マイク１０により本体２の近くにいる使用者の音声を集音し、スピーカ１１によりディスプレイユニット３側の音声を出力する。
【００１４】
本体２には、電力を供給するため図示しないＡＣアダプタが設けられている。また、電源プラグを接続できない場所でも持ち運んで使用できるように図示しないバッテリが本体２に内蔵されている。
【００１５】
図３は本発明の実施形態に係る情報処理装置のディスプレイユニットの構成を示すブロック図である。ディスプレイユニット３は、表示パネル３ａ、着脱検知部１９、無線通信部２２、制御部５０、記憶部５１、入力部５２、サウンド回路５３等から構成される。制御部５０は、プロセッサ６０、Ｉ／Ｏコントローラ６１、システムコントローラ６２等から構成される。表示パネル３ａ、着脱検知部１９、無線通信部２２、記憶部５１、入力部５２、サウンド回路５３は制御部５０に接続され制御される。着脱検知部１９、無線通信部２２、制御部５０、サウンド回路５３等は本体２に設けられたものと大きな違いはないのでここでは説明を省略する。
【００１６】
ディスプレイユニット３の入力部５２はタブレット式の表示パネル３ａと通信ボタン２４から構成される。タブレット式の表示パネル３ａを用いることで、本体２から取り外したディスプレイユニット３を持ち歩く場合でも、データの入力や操作を行うことができる。表示パネル３ａはタブレット式の入力装置として働く一方、表示装置としての機能を持つ。ディスプレイユニット３の記憶部５１には、本体２の記憶部３１に記憶された内容を記憶するようにしても良いし、持ち歩いて作業をする際に必要なものだけを選んで記憶するようにしても良い。また、無線通信接続を行い、本体２の記憶部３１に記憶されたファイルを取り寄せるようにしても良い。通信ボタン２４はディスプレイユニット３にも設けられ、ディスプレイユニット３から本体２に対して接続要求を行い、音声通信をすることも可能である。
【００１７】
ディスプレイユニット３は本体２と分離した際も、ディスプレイユニット３に内蔵された図示しないバッテリにより駆動する。ディスプレイユニット３が本体２と接続されている際は、本体２からディスプレイユニット３に電源を供給することが可能である。
【００１８】
図４は本発明の実施形態に係る本体の入力禁止動作を示すフローチャートである。ディスプレイユニット３を持ち運んでいる時、無線通信を介してディスプレイユニット３から本体２の制御をすることができる。具体的には例えば本体２のキーボード８の入力や電源スイッチの操作を許可／禁止することが挙げられる。
【００１９】
ディスプレイユニット３を持ち運んでいて、本体２のリソースを使用して操作をしたい時は、本体２に対してリモート接続要求を行う。本体２は接続要求があった時は（ステップ１−１のＹｅｓ）、リモート接続を行い、本体２とディスプレイユニット３との接続を確立する（ステップ１−２）。リモート接続を確立すると、リモート接続された状態をリモート接続ユーティリティが本体２のＩ／Ｏコントローラ４１に伝える。本体２のＩ／Ｏコントローラ４１はサブディスプレイ１５にリモート接続有りのステータス情報を表示する。ディスプレイユニット３からリモート接続時に本体２の操作を禁止したい時は、無線通信を介して本体２のＩ／Ｏコントローラ４１に入力部３２の機能をオフするように指示する（ステップ１−３）。タッチパッド７やキーボード８等の入力装置の機能をオフにしたらそのステータスを本体２のサブディスプレイ１５に表示する（ステップ１−４）。
【００２０】
リモート接続状態時、ディスプレイユニット３は無線通信部４３を介して本体２側のＩ／Ｏコントローラ４１に指示を出し、本体２の入力部３２の操作を禁止させることができる。入力部３２の操作が禁止されている旨は本体２のサブディスプレイ１５に表示される。
【００２１】
図５は本発明の実施形態に係る本体とディスプレイユニットの着脱に伴う入力禁止動作を示すフローチャートである。本体２とディスプレイユニット３を着脱する際に、本体２のキーボード８の入力や電源スイッチの操作を許可／禁止するようにしても良い。
【００２２】
ディスプレイユニット３に設けられた着脱検知部１９によって、本体２からディスプレイユニット３が取り外されたことを検知すると（ステップ２−１のＹｅｓ）、ディスプレイユニット３は本体２に対してリモート接続を行う（ステップ２−２）。リモート接続を確立すると、リモート接続された状態をリモート接続ユーティリティが本体２のＩ／Ｏコントローラ４１に伝える。本体２のＩ／Ｏコントローラ４１はサブディスプレイ１５にリモート接続有りのステータス情報を表示する。ディスプレイユニット３からリモート接続時に本体２の操作を禁止したい時は、無線通信を介して本体２のＩ／Ｏコントローラ４１に入力部３２の機能をオフするように指示する（ステップ２−３のＹｅｓ）。タッチパッド７やキーボード８等の入力装置の機能をオフにしたらそのステータスを本体２のサブディスプレイ１５に表示する（ステップ２−４）。ディスプレイユニット３を本体２から取り外した後に再び本体２に取り付けられることを検知したら（ステップ２−５のＹｅｓ）、無線通信を介して本体２のＩ／Ｏコントローラ４１に入力部３２の機能をオンにするよう指示する（ステップ２−６）。
【００２３】
本体２に設けられた着脱検知部１８によって、ディスプレイユニット３が本体２に着脱されたと検知した時に、ユーティリティが本体２のＩ／Ｏコントローラ４１に伝えるようにしても良い。ディスプレイユニット３が本体２から取り外された状態あるいは本体２に装着された状態をＩ／Ｏコントローラ４１に伝える。本体２にディスプレイユニット３が着脱された時に、ユーティリティが本体２のＩ／Ｏコントローラ４１にタッチパッド７やキーボード８等の入力装置の機能をオン／オフにするように指示しても良い。
【００２４】
図６は本発明の実施形態に係る本体の入力禁止を設定するユーティリティ画面を示す模式図である。図７は本発明の実施形態に係る本体の入力禁止を確認するウィンドウを示す模式図である。本体２とディスプレイユニット３とを着脱した際に、本体２の入力機能をオン／オフにする選択を自動で行うか、手動で行うかを切り替えることができる。ユーティリティ画面において自動ロック／ロック解除を選択した時は、本体２とディスプレイユニット３とが取り外された時に、本体２のＩ／Ｏコントローラ４１にタッチパッド７やキーボード８等の入力装置の機能を自動でオフさせ、本体２とディスプレイユニット３とが取り付けられた時に、本体２のＩ／Ｏコントローラ４１にタッチパッド７やキーボード８等の入力装置の機能を自動でオンさせることができる。ユーティリティ画面において手動切替を選択した時は、本体２とディスプレイユニット３を着脱する時に図７に示すウィンドウをディスプレイユニット３の表示パネル３ａに表示させる。本体２からディスプレイユニット３を取り外した時に、図７に示すウィンドウを表示させ本体２のタッチパッド７やキーボード８による入力を禁止するか許可するかをユーザが決定する。また、本体２をディスプレイユニット３に取り付けた時にも、図７に示すウィンドウを表示させ本体２のタッチパッド７やキーボード８による入力を禁止するか許可するかをユーザが決定する。
【００２５】
図８は本発明の実施形態に係る音声通信動作を示すフローチャートである。ディスプレイユニット３を持ち運んでいる時、ディスプレイユニット３から本体２に対して接続要求を行い、音声通信をすることができる。ディスプレイユニット３を持ち運んでいて、本体２と音声通信をしたい時、本体２に対してリモート接続要求を行う。本体２は接続要求があった時は（ステップ３−１のＹｅｓ）、リモート接続を行い、本体２とディスプレイユニット３との接続を確立する（ステップ３−２）。リモート接続された状態をリモート接続ユーティリティが本体２のＩ／Ｏコントローラ４１に伝え、本体２のＩ／Ｏコントローラ４１はサブディスプレイ１５にリモート接続有りのステータス情報を表示する。リモート接続時、無線通信を介して本体２のＩ／Ｏコントローラ４１にインターフォン機能をオンするように指示する（ステップ３−３）。本体２のサウンド回路３３、スピーカ１０、マイク１１およびディスプレイユニット３のサウンド回路５３、スピーカ２０、マイク２１の機能をオンにしたら本体２とディスプレイユニット３との間で音声通信をすることが可能になる（ステップ３−４）。この時、本体２のサブディスプレイ１５に音声通信中である旨の表示をする。
【００２６】
本体２とディスプレイユニット３との間で音声通信が可能となることで、ディスプレイユニット３の画面がフリーズしたとき等に、音声で本体２周囲の人間に再起動を指示することができる。第三者により本体２側でディスプレイユニット３を操作している人間の意図しない不正な操作があったときに、本体２の周辺の人間に音声で警告することができる。
【００２７】
本実施形態を実施した場合、表示部により本体を制御することが可能となる。
【００２８】
本発明ではその主旨を逸脱しない範囲であれば、上記の実施形態に限定されるものではなく種々の変形が可能である。
【図面の簡単な説明】
【００２９】
【図１】本発明の実施形態に係る情報処理装置の外観斜視図。
【図２】本発明の実施形態に係る情報処理装置本体の構成を示すブロック図。
【図３】本発明の実施形態に係る情報処理装置のディスプレイユニットの構成を示すブロック図。
【図４】本発明の実施形態に係る本体の入力禁止動作を示すフローチャート。
【図５】本発明の実施形態に係る本体とディスプレイユニットの着脱に伴う入力禁止動作を示すフローチャート。
【図６】本発明の実施形態に係る本体の入力禁止を設定するユーティリティ画面を示す模式図。
【図７】本発明の実施形態に係る本体の入力禁止を確認するウィンドウを示す模式図。
【図８】本発明の実施形態に係る音声通信動作を示すフローチャート。
【符号の説明】
【００３０】
１…ノート型コンピュータ、２…本体、３…ディスプレイユニット、３ａ…表示パネル、４…凸部、５…凹部、６…ヒンジ部、７…タッチパッド、８…キーボード、１０…マイク、１１…スピーカ、１２…無線通信部、１３…インジケータ、１４…通信ボタン、１５…サブディスプレイ、１８…着脱検知部、１９…着脱検知部、２０…マイク、２１…スピーカ、２２…無線通信部、２３…インジケータ、２４…通信ボタン、３０…制御部、３１…記憶部、３２…入力部、３３…サウンド回路、３４…音声入力部、３５…音声出力部、４０…プロセッサ、４１…Ｉ／Ｏコントローラ、４２…システムコントローラ、５０…制御部、５１…記憶部、５２…入力部、５３…サウンド回路、５４…音声入力部、５５…音声出力部、６０…プロセッサ、６１…Ｉ／Ｏコントローラ、６２…システムコントローラ
【図１】
2007233628.tif 000003
【図２】
2007233628.tif 000004
【図３】
2007233628.tif 000005
【図４】
2007233628.tif 000006
【図５】
2007233628.tif 000007
【図６】
2007233628.tif 000008
【図７】
2007233628.tif 000009
【図８】
2007233628.tif 000010